(57)【特許請求の範囲】
【請求項１】
互いに対面する一対の短手壁及び、これら短手壁に交わり互いに対面する一対の長手壁を有して一体形成される保持枠と、前記両短手壁間に挟持される態様で前記保持枠内に外刃を固定した状態で保持される外刃枠と、を備え、前記外刃枠に固定される前記外刃に対して本体部に取り付けられる内刃が往復運動する電気かみそりにおいて、
前記短手壁においてその中央部分と、同中央部分の両側における前記短手壁及び前記長手壁の連結部分との間に形成されるとともに、前記中央部分よりも剛性を低くすることで前記両長手壁の面間距離の減少量に対する前記両短手壁の面間距離の増加量を増大させる低剛性部を設けた電気かみそり。
【請求項２】
請求項１に記載の電気かみそりにおいて、
前記低剛性部は、その少なくとも前記外刃枠が挿入される側の部分が、前記中央部分に対して薄く形成されることで剛性が低くされている電気かみそり。
【請求項３】
請求項２に記載の電気かみそりにおいて、
前記低剛性部は、前記短手壁における前記外刃枠の前記保持枠に対する挿入方向の全域に亘って、前記中央部分に対して薄く形成される電気かみそり。
【請求項４】
請求項１〜３のいずれか一項に記載の電気かみそりにおいて、
前記長手壁には、前記両短手壁との連結部分より外側に延びる延設部が形成される電気かみそり。
【請求項５】
請求項４に記載の電気かみそりにおいて、
前記延設部及び前記短手壁を連結する連結部を備えた電気かみそり。
【請求項６】
請求項５に記載の電気かみそりにおいて、
前記連結部は、前記保持枠における前記外刃枠が挿入される側に設けられる電気かみそり。
【請求項７】
請求項１〜６のいずれか一項に記載の電気かみそりにおいて、
前記外刃枠において、前記保持枠に保持されたとき前記短手壁の中央部分に対応する部位に形成される第１の嵌合部と、
前記短手壁の中央部分に形成されるとともに、前記外刃枠が前記保持枠に保持された状態で前記第１の嵌合部に嵌合する第２の嵌合部と、を備えた電気かみそり。
【請求項８】
請求項７に記載の電気かみそりにおいて、
前記両嵌合部の一方は凸状に形成されるとともに他方は前記凸状に対応する凹状に形成され、
前記凸状に形成される嵌合部は、前記外刃枠の前記保持枠への挿入に対して、その挿入方向に対して交わる方向に弾性変形可能に形成される電気かみそり。
【請求項９】
請求項１〜８のいずれか一項に記載の電気かみそりにおいて、
前記両短手壁における前記外刃枠が挿入される側と反対側の端部の間を連結する細桟を備えた電気かみそり。
【請求項１０】
請求項１〜９のいずれか一項に記載の電気かみそりにおいて、
前記外刃の表面を露出させた状態で前記外刃枠を保持する前記保持枠をその外周から覆う外周枠を備えた電気かみそり。
【発明の詳細な説明】
【技術分野】
【０００１】
この発明は、内刃と外刃が摺接することで髭等を切断する電気かみそりに関する。
【背景技術】
【０００２】
従来、外刃と、本体内部でのモータの動力により動作する内刃との間で髭等を切断する電気かみそりが知られている。例えば、特許文献１に示される電気かみそりにおいては、外刃は外刃枠に保持されて、この外刃枠は上下動可能に保持枠に保持されている。この保持枠は、その外周が互いに対面する一対の短手壁及び、同じく互いに対面する一対の長手壁にて一体で構成される。また、短手壁は外刃枠が挿入される側に向かうにつれて徐々に厚くなる態様で形成されている。この保持枠は、本体部の上部に設けられる内刃に装着される。この状態にて保持枠の外周を覆う態様で外周枠が本体部に装着される。
【０００３】
以上のように、この電気かみそりにおいては、外刃枠を保持枠に装着する組み立て作業が必要となる。保持枠に外刃枠を保持させる構成として、短手壁の内面にはガイド孔が形成されており、外刃枠にはそのガイド孔に嵌合するリブが形成されている。
【０００４】
外刃枠を保持枠内に挿入していくとリブは両短手壁の内面を摺動しつつ両短手壁を離間させる方向に押す。さらに外刃枠を挿入していくことで、リブが保持枠のガイド孔の高さに達してリブがガイド孔に嵌合する。これにより、外刃枠を保持枠に装着する組み立て作業が完了する。また、上記組み立て方法とは別に、外側から両長手壁を接近させる態様で外力を加えることで、両短手壁を十分に離間させた状態で外刃枠を挿入する方法もある。
【０００５】
また、上記とは別の構成として、例えば外刃枠の長手壁に嵌合部を設け、保持枠にその嵌合部に対応する相手側の嵌合部を設けたものがある。具体的には、図１５に示すように、外刃枠１０１の長手壁１０２の外面にフック１０３が形成され、保持枠１１０の長手壁１１１の内面にそれらフック１０３に嵌合するガイド孔１１４が形成されている。
【０００６】
この構成も含めて一般的に、保持枠１１０には外刃枠１０１及びそれに装着される外刃が容易に変形しないよう必要となる強度が与えられている。すなわち、枠体としての強度は保持枠１１０が外刃枠１０１よりも大きく設定されるのが一般的である。これにより、外刃枠１０１及び保持枠１１０の各々の存在目的が保証される。ここで、外刃枠１０１の存在目的とは、外刃を保持しつつ保持枠１１０内に保持されることであり、保持枠１１０の存在目的とは外刃枠１０１を保持しつつ外刃および外刃枠１０１を被って保護することである。
【０００７】
図１５の構成では、外刃枠１０１を保持枠１１０に組み付けるために、外刃枠１０１を保持枠１１０内に挿入していく。すると、フック１０３は保持枠１１０の長手壁１１１の内面を摺動する。このとき、フック１０３は保持枠１１０の長手壁１１１内面に押されることとなる。さらに、外刃枠１０１を挿入していくことで、フック１０３が保持枠１１０のガイド孔１１４の高さに達してフック１０３がガイド孔１１４に嵌合する。これにて、外刃枠１０１及び保持枠１１０の組み立て作業が完了する。
【０００８】
なお、外刃枠１０１における長手方向の大きさは、保持枠１１０における短手壁１１５の面間距離とほぼ同一に設定される。よって、図１５の構成においては、保持枠１１０に外側から両短手壁１１５を近接させる態様で外力を加えて、保持枠１１０の両長手壁１１１を十分に離間させた状態において外刃枠１０１を挿入する組み立て方法を取ることができない。これは、保持枠１１０の両長手壁１１１を十分に離間させた状態にまで短手壁１１５を圧縮すると、短手壁１１５の面間距離が外刃枠１０１の長手方向の大きさ以下となってしまうからである。
【先行技術文献】
【特許文献】
【０００９】
【特許文献１】特開２００９−１８０５８号公報
【発明の概要】
【発明が解決しようとする課題】
【００１０】
上記特許文献１に記載の構成においては、外刃枠を挿入可能とするべく短手壁間の距離を確保するために、外刃枠を保持枠に強く押し込む又は両長手壁に上記外力を強く加える必要がある。さらに、上述のように短手壁は、外刃枠が挿入される側に向かうにつれて徐々に厚くなる態様で形成されている。よって、外刃枠の挿入に伴って保持枠における外刃枠が挿入される側が変形すること、すなわち両短手壁が十分に離間することが困難となっていた。このように、保持枠は外刃枠装着の簡易化の観点から構成されておらず、スムーズな組み立て作業が困難となっていた。
【００１１】
また、上記図１５の構成においては、上述のとおり外刃枠１０１を保持枠１１０に挿入することで、外刃枠１０１のフック１０３は、保持枠１１０の長手壁１１１内面によって内側に押されることとなる。このため、フック１０３を通じて外刃枠１０１の長手壁１０２全体が、内側に撓むこととなる。よって、外刃枠１０１は上述のように保持枠１１０に比して強度が弱く、かつその長手壁１０２は比較的面積が大きいため内側に変形しやすい。よって、このように長手壁１０２が内側に変形しながらのスムーズな組み立ては困難となる。
【００１２】
また、保持枠１１０ではなく、外刃枠１０１が変形をきたす為に外刃枠１０１に取り付けてある外刃が負荷を受けやすく、組み立てによって、外刃自身が変形してしまう可能性も高くなってしまう。
【００１３】
この発明は、こうした実情に鑑みてなされたものであり、その目的は、組み立て作業をより容易とした電気かみそりを提供することにある。
【課題を解決するための手段】
【００１４】
上記課題を解決するために、本発明の電気かみそりは、互いに対面する一対の短手壁及び、これら短手壁に交わり互いに対面する一対の長手壁を有して一体形成される保持枠と、前記両短手壁間に挟持される態様で前記保持枠内に外刃を固定した状態で保持される外刃枠と、を備え、前記外刃枠に固定される前記外刃に対して本体部に取り付けられる内刃が往復運動する電気かみそりにおいて、前記短手壁においてその中央部分と、同中央部分の両側における前記短手壁及び前記長手壁の連結部分との間に形成されるとともに、前記中央部分よりも剛性を低くすることで前記両長手壁の面間距離の減少量に対する前記両短手壁の面間距離の増加量を増大させる低剛性部を設けている。
【００１５】
また上記構成において、前記低剛性部は、その少なくとも前記外刃枠が挿入される側の部分が、前記中央部分に対して薄く形成されることで剛性が低くされていることが好ましい。
【００１６】
また上記構成において、前記低剛性部は、前記短手壁における前記外刃枠の前記保持枠に対する挿入方向の全域に亘って、前記中央部分に対して薄く形成されることが好ましい。
【００１７】
また上記構成において、前記長手壁には、前記両短手壁との連結部分より外側に延びる延設部が形成されることが好ましい。
また上記構成において、前記延設部及び前記短手壁を連結する連結部を備えることが好ましい。
【００１８】
また上記構成において、前記連結部は、前記保持枠における前記外刃枠が挿入される側に設けられることが好ましい。
また上記構成において、前記外刃枠において、前記保持枠に保持されたとき前記短手壁の中央部分に対応する部位に形成される第１の嵌合部と、前記短手壁の中央部分に形成されるとともに、前記外刃枠が前記保持枠に保持された状態で前記第１の嵌合部に嵌合する第２の嵌合部と、を備えることが好ましい。
【００１９】
また上記構成において、前記両嵌合部の一方は凸状に形成されるとともに他方は前記凸状に対応する凹状に形成され、前記凸状に形成される嵌合部は、前記外刃枠の前記保持枠への挿入に対して、その挿入方向に対して交わる方向に弾性変形可能に形成されることが好ましい。
【００２０】
また上記構成において、前記両短手壁における前記外刃枠が挿入される側と反対側の端部の間を連結する細桟を備えることが好ましい。
また上記構成において、前記外刃の表面を露出させた状態で前記外刃枠を保持する前記保持枠をその外周から覆う外周枠を備えることが好ましい。
【発明の効果】
【００２１】
本発明によれば、電気かみそりにおいて、組み立て作業をより容易とすることができる。
【図面の簡単な説明】
【００２２】
【図１】電気かみそりの分解斜視図。
【図２】刃フレーム部の分解斜視図。
【図３】電気かみそりの斜視図。
【図４】図１のＡ−Ａ線断面図。
【図５】外刃カセットの分解斜視図
【図６】保持枠の上面図。
【図７】外刃カセット及び外周枠の斜視図。
【図８】図２のＢ−Ｂ線断面図。
【図９】図３のＣ−Ｃ線断面図。
【図１０】図３のＤ−Ｄ線断面図。
【図１１】外刃枠取り付け時における短手壁の作用図。
【図１２】従来構成における保持枠の作用図。
【図１３】外刃枠取り付け時における保持枠の作用図。
【図１４】他の実施形態における外刃枠の斜視図。
【図１５】従来の保持枠及び外刃枠の斜視図。
【発明を実施するための形態】
【００２３】
以下、本発明にかかる電気かみそりを具体化した一実施形態について図１〜図１３を参照して説明する。本例では図１等の右上に示されるように、電気かみそりに対して前後左右上下方向が規定されている。
【００２４】
図１に示すように、本体部１０には、その上側から刃フレーム部５が装着される。この本体部１０には、その外周面にユーザに把持されるグリップ部１１が形成されている。このグリップ部１１の右側面に操作用のスイッチ部１２が設けられている。また、本体部１０の上部には、使用時には刃フレーム部５にて覆われる本体ヘッド部１３が形成されている。この本体ヘッド部１３の上面には、上側に突出した振動子１４が設けられている。振動子１４は、前後方向に一対設けられる。スイッチ部１２が操作されると、振動子１４は、本体部１０に内蔵されるモータ（図示略）の駆動を通じて左右方向に振動する。各振動子１４には、内刃３０が取り付けられた基台３１が上側から装着される。図１においては、後側の振動子１４にのみ基台３１が装着されている。内刃３０は上方に凸となるように逆Ｕ字状に湾曲されている。基台３１は直方状に形成されるとともに、内刃３０をその内部において固定する。
【００２５】
図３に示すように、本体部１０の左側面には、本体側操作部１５が設けられている。詳しくは、図４に示すように、本体側操作部１５の上側には、これと一体で第１の係止部１６が形成されている。この第１の係止部１６は、本体ヘッド部１３の左側面から外側に突出する態様で略Ｌ字状に形成されている。また、図４における左上の円中に示すように、第１の係止部１６は、本体側操作部１５を挟んでその前後両側に２つ並設されている。
【００２６】
本体側操作部１５は、本体ヘッド部１３に内蔵されるコイルばね１９の弾性力を通じて外側（本体ヘッド部１３と反対側）に付勢されている。本体側操作部１５は、本体部１０において上側に突出する抜止部９との係合を通じて本体部１０からの脱落が防止されている。本体側操作部１５の上部が本体部１０側に押し操作されたとき、若しくは両第１の係止部１６に対して本体ヘッド部１３側の外力が加わったとき、第１の係止部１６及び本体側操作部１５はコイルばね１９の弾性力に抗して本体ヘッド部１３側に退避する。そして、第１の係止部１６は、自身又は本体側操作部１５への外力が解除されたとき、コイルばね１９の弾性力により上記退避した位置から突出した状態に復帰する。
【００２７】
一方、図１に示すように、本体ヘッド部１３の右側面には、第１の係止部１６の先端と同様の形状にて一対の第２の係止部１７が形成されている。第２の係止部１７は、第１の係止部１６と同様に前後方向に２つ並設されている。第２の係止部１７は本体ヘッド部１３と一体で形成されている。よって、第２の係止部１７は、第１の係止部１６と異なって本体ヘッド部１３側に退避することはない。また、本体部１０の右側面における両第２の係止部１７間に対応する位置には指当部１８が形成されている。この指当部１８は本体部１０と一体で形成されている。
【００２８】
図１に示すように、本体部１０には、振動子１４、基台３１及び内刃３０が覆われる態様でキャップ状の刃フレーム部５が上方から装着される。具体的には、刃フレーム部５は、図２に示すように、外刃カセット６及び外周枠５０が組み立てられることで構成される。
＜外刃カセット＞
外刃カセット６は、一対の外刃４０と、これらがそれぞれ上側から装着される一対の外刃枠４１と、これら外刃枠４１が下側から装着される保持枠２０とで構成される。保持枠２０及び外刃枠４１はそれぞれ合成樹脂にて弾性変形可能に形成されている。外刃４０は、内刃３０の外形に対応したＵ字状に形成されている。これら外刃４０の表面には、複数の刃孔が形成されている。各外刃枠４１は、上下両端が開口した筒状に形成されるとともに、基台３１に取り付けられた内刃３０を内在可能に構成されている。外刃枠４１におけるその前後方向に延びる両側面には、上下方向に延びる直方状のリブ４２が形成されている。
＜保持枠＞
図５に示すように、保持枠２０は、前後方向に延びる互いに対面する短手壁２１と、左右方向に延びる互いに対面する長手壁２２とで構成される。また、保持枠２０は、その内部に一対の外刃枠４１が装着可能に構成されている。
【００２９】
また、図６に示すように、各短手壁２１には、その前後方向（図６の上下方向）の両端側に長手壁２２に連結される低剛性部２３が形成されている。また、短手壁２１における低剛性部２３間には保持部２４が形成されている。低剛性部２３は保持部２４に比して薄く形成されている。よって、低剛性部２３の剛性は保持部２４に比して低い。また、図５に示すように、保持部２４には、その厚さ方向に貫通するとともに、上下方向に延びるガイド孔２４ａが形成されている。ガイド孔２４ａは、保持部２４における前後方向の両側に２つ設けられる。両保持部２４は外刃枠４１がそれらの内側に挿入可能とされている。また、ガイド孔２４ａは、そこに進入したリブ４２が所定量だけ上下方向にスライド可能に形成されている。また、対面する両保持部２４には、棒状の細桟２５が架け渡されている。この細桟２５の両端は、各保持部２４の上端に連結されている。
【００３０】
また、図５に示すように、各保持部２４の下端には、Ｌ字状の解除部２６が延設されている。解除部２６は、下方に延びる弾性片２６ａと、これに対して垂直かつ外側に延びるフレーム側操作部２６ｂとで形成される。各弾性片２６ａには、その厚さ方向に貫通した貫通孔２６ｃが形成されている。
【００３１】
また、長手壁２２には、左右方向において短手壁２１との連結部に対して両外側に延出する延設部２７が形成されている。このように、延設部２７が形成されることで、低剛性部２３の両端部は長手壁２２によって強固に固定される。これについては後で詳述する。
【００３２】
さらに、図６に示すように、延設部２７の内面と低剛性部２３の外面とから形成される角部には三角柱状の連結部２８が形成されている。連結部２８は、両短手壁２１及び両長手壁２２の各角部に計４つ設けられる。また、連結部２８は、図５に示すように、保持枠２０における下側、すなわち保持枠２０における外刃枠４１が挿入される側に設けられる。
＜外周枠＞
図７に示すように、外周枠５０は、保持枠２０の外周を覆う筒状に形成されている。すなわち、外周枠５０における上側の開口部５１は、保持枠２０の外周に対応して形成されている。外周枠５０における左右方向において対面する側壁５２の下端縁には下側に開口する凹陥部５３が形成されている。この凹陥部５３は、保持枠２０におけるフレーム側操作部２６ｂの上面及び両側面に対応して形成されている。図８に示すように、側壁５２の内面には内側に向けてフック５４が突設されている。フック５４は、各側壁５２における凹陥部５３の上部に位置している。また、フック５４は保持枠２０の貫通孔２６ｃに外側から進入可能に形成されている。
【００３３】
また、各側壁５２の内面における凹陥部５３の前後両側には側壁５２の厚さ方向に凹部５５が形成されている。両凹部５５は、本体部１０の両第１の係止部１６若しくは両第２の係止部１７が進入可能に形成されている。
【００３４】
以下、上記のように構成される電気かみそりの組み立て方法について説明する。
図５に示すように、まず保持枠２０に、外刃４０が取り付けられた外刃枠４１が装着されることで外刃カセット６が組み立てられる。ここでは、明細書の構成上、詳細な外刃カセット６の組み立て方法については最後にその効果とともに示す。
【００３５】
次に、刃フレーム部５が組み立てられる。
図７に示すように、外刃カセット６のフレーム側操作部２６ｂを外周枠５０の凹陥部５３に通すようにしながら外周枠５０にその下端開口から外刃カセット６を挿入していく。このとき、外周枠５０の内部に設けられるフック５４が保持部２４の外面を摺動する。そして、図９に示すように、フレーム側操作部２６ｂの上面が凹陥部５３の内頂面に当接する位置にて、各フック５４の先端部が、弾性片２６ａの貫通孔２６ｃに外側から係止する。この係止により、保持枠２０、ひいては外刃カセット６は外周枠５０に装着された状態で固定される。以上で刃フレーム部５の組み立ては完了する。
【００３６】
なお、この状態において、両フレーム側操作部２６ｂは、その先端が外周枠５０から凹陥部５３を通じて外部に突出している。外刃カセット６と外周枠５０との装着状態を解除する際には、左右のフレーム側操作部２６ｂを挟み込むように外力を加え、両弾性片２６ａを内側に弾性変形させる。これにより、両フック５４が貫通孔２６ｃから外れて、外刃カセット６を外周枠５０から取り外すことが可能となる。
【００３７】
次に、刃フレーム部５を本体部１０へ装着すれば、電気かみそりの組み立ては完了となる。具体的には、図１に示すように、まず外周枠５０の右側の両凹部５５にそれぞれ第２の係止部１７を引っ掛ける。そして、刃フレーム部５の左側を本体部１０に被せていく。これにより、第１の係止部１６は外周枠５０の内面に押されつつ摺動する。このとき、第１の係止部１６はコイルばね１９の弾性力に抗して内側に退避していく。そして、図１０に示すように、第１の係止部１６は凹部５５に達すると、同第１の係止部１６の先端がコイルばね１９の弾性力により凹部５５に進入する。これにより、外周枠５０、ひいては刃フレーム部５が本体部１０に係止される。これにて、刃フレーム部５の本体部１０への装着が完了する。
【００３８】
なお、図３に示すように、刃フレーム部５が本体部１０に装着された状態において、本体側操作部１５は押し操作可能に露出している。本体側操作部１５が押されることで、第１の係止部１６は内側に没入する。これにより、第１の係止部１６は凹部５５から外れて、上記と逆の手順にて本体部１０から刃フレーム部５を取り外せる。
【００３９】
上記のように組み立てられる電気かみそりにおいて、スイッチ部１２の操作により振動子１４を介して内刃３０が外刃４０の内面を左右方向に往復運動する。この状態において、外刃４０の表面を皮膚に押し当てることで内刃３０及び外刃４０間に進入した髭等が切断される。このとき、各外刃枠４１は保持枠２０内に上下動可能に保持されているところ、それに装着される外刃４０は皮膚の凹凸に対応して変位することができる。
【００４０】
最後に外刃カセット６の組み立て方法について詳細に説明する。
図５に示すように、保持枠２０に対して下側から外刃４０を備える外刃枠４１を挿入していく。詳しくは、外刃枠４１は、その両リブ４２がそれぞれ保持枠２０において対向するガイド孔２４ａに対応する向きにて挿入される。ここで、弾性変形等していない通常時の保持枠２０において、その両短手壁２１（正確には両保持部２４）の面間距離は、左右方向におけるリブ４２を除いた外刃枠４１の大きさとほぼ同一に設定される。このため、挿入時には外刃枠４１の両リブ４２は、短手壁２１をその内面から外側に押す。これにより、短手壁２１は外側に、長手壁２２は内側にそれぞれ変位する。このとき、短手壁２１の弾性力によりリブ４２には内側への圧力が加わる。
【００４１】
このときの短手壁２１の作用を図１１にて模式的に示す。同図は、以下に示す作用及び効果を明確にするべく保持枠２０が上記図６等に示した構成と異なる態様となっているが、上記図６等の構成においても同様の作用及び効果が得られる。
【００４２】
すなわち、図１１に示すように、延設部２７が形成されることで、図１１の範囲Ａに示される低剛性部２３の長手壁２２と接する端部の変形（曲げ）が規制される。すなわち、範囲Ａの円中に拡大して示すように、低剛性部２３は、長手壁２２の内面に対して角度θ１をなしている。この角度θ１は、上記通常時の保持枠２０のときとほぼ同一の角度である。そして、低剛性部２３における範囲Ａの上方の部分は集中的に外側へ湾曲している。ちなみに、延設部２７及び低剛性部２３が設けられていない従来構成における短手壁２１の変形態様を図１１に２点鎖線で示す。すなわち、本実施形態の構成によれば、保持枠２０への外刃枠４１の押し込み力を同一とした場合、従来構成に比して短手壁２１をより外側に位置させることができる。具体的には、従来構成においては、範囲Ａの円中に拡大して示すように、短手壁２１における長手壁２２側の端部と、長手壁２２とがなす角度θ１が短手壁２１の離間とともに徐々に小さくなって角度θ２となる。これは、特に延設部２７がない場合には、短手壁２１及び長手壁２２の連結部が関節のような働きをして回転中心となるからである。よって、従来構成では短手壁２１は外側に凸となる曲面状に曲がる。このときの短手壁２１の湾曲の度合いは本実施形態の低剛性部２３よりも小さい。この場合、短手壁２１は、全体で曲がるため本実施形態に比してその保持部２４に相当する部分は内側に位置する。その点、本実施形態においては、保持部２４は、低剛性部２３における保持部２４側が集中的に湾曲することで外側に変位しやすい。換言すると、低剛性部２３は、長手壁２２の面間距離の減少量に対する両保持部２４の面間距離の増加量をより大きくすることができる。従って、より小さい押し込み力にて両保持部２４を十分に離間させて外刃枠４１を保持枠２０に押し込むことが可能となる。
【００４３】
また、保持枠２０が大きく外側に変位することで短手壁２１の弾性力を通じてリブ４２に加わる圧力を低減することができる。よって、よりスムーズに、外刃枠４１を保持枠２０に挿入することができるとともに、前記圧力によるリブ４２の変形等を抑制することができる。
【００４４】
また、連結部２８は、低剛性部２３の長手壁２２と接する端部を外側から支持することで、上記同様に、同端部の変形（曲げ）を規制する。よって、上記図１１を参照して説明した効果を確実に発揮させることができる。
【００４５】
ここで、保持部２４は、低剛性部２３に比して厚い分、その剛性は高い。よって、低剛性部２３における保持部２４側の端部が外側に湾曲したときであっても、保持部２４の曲げ変形は抑制される。これにより、保持部２４を前後方向に沿った姿勢に保つことができ、ひいては後述するガイド孔２４ａへのリブ４２の嵌合が容易となる。
【００４６】
さらに、延設部２７を設けることで、保持枠２０におけるせん断方向への変位を規制することができる。詳しくは、図１２に示すように、上記従来構成においては、短手壁２１の長手壁２２に対する回転自由度が高いため、短手壁２１は長手壁２２との連結部を回転中心として回動しうる。よって、図１２の２点鎖線で示すように、外刃枠４１の挿入時に保持枠２０はせん断方向（図１２の左右方向）に変形するおそれがある。この場合には、短手壁２１の面間距離は上記通常時と変わらないので、外刃枠４１の挿入は困難である。その点、本実施形態においては、上述のように、延設部２７を通じて低剛性部２３の長手壁２２に対する回転が制限されている。よって、保持枠２０が同図に示すように、せん断方向に変位することが抑制され、外刃枠４１のスムーズな挿入が可能となる。
【００４７】
また、図５に示すように、リブ４２が両短手壁２１を外側に押し広げるとき、これら短手壁２１の上端は細桟２５を通じて繋がっている。このため、短手壁２１の上端側は外側に広がらず、リブ４２を通じた押し広げる力を全て短手壁２１の下端側に作用させることができる。従って、短手壁２１の下端側、すなわち保持枠２０における外刃枠４１の挿入側における短手壁２１の面間距離を更に増大させることができる。よって、組み立てをよりスムーズに行うことができる。
【００４８】
このように、外刃枠４１は、短手壁２１を外側に変位させつつ、保持枠２０に嵌め込まれていく。そして、リブ４２は短手壁２１のガイド孔２４ａの高さに達するとガイド孔２４ａに嵌合する。このように、一対の外刃枠４１が装着されると、外刃カセット６の組み立てが完了する。このとき、外刃枠４１は、そのリブ４２がガイド孔２４ａに沿って保持枠２０に対して上下移動可能に保持される。
【００４９】
外刃カセット６の組み立て方法としては、上述のように外刃枠４１を保持枠２０に押し込む方法に限らない。例えば組み立て者は、図１３に示すように、両長手壁２２の外面に対して、これら長手壁２２を接近させる態様で圧縮力を加える。これにより、上記外刃枠４１を保持枠２０に押し込んだときと同様に、低剛性部２３が外側に屈曲しつつ保持部２４が外側に変位する。ここで、圧縮力が長手壁２２の左右方向における中央部に加わったとき、図１３に２点鎖線で示すように両長手壁２２は２次曲線状に曲がる。すなわち、長手壁２２は前記中央部において最大たわみとなる。このとき、両長手壁２２の延設部２７は、短手壁２１と反対側（外側）に反る。
【００５０】
ここで、低剛性部２３及び延設部２７は連結部２８を介して連結されている。よって、延設部２７が反ることで、低剛性部２３ひいては保持部２４は外側に押し出される。また、連結部２８は、保持枠２０における外刃枠４１が挿入される側（図５等の下側）に形成される。よって、外刃枠４１が挿入される側の短手壁２１（正確には保持枠２０）の面間距離を増大させることができる。この状態において、外刃枠４１を保持枠２０に挿入していく。そして、リブ４２が短手壁２１のガイド孔２４ａの高さに達したとき、上記長手壁２２に対する圧縮力を解除する。これにより、リブ４２がガイド孔２４ａに嵌合し、組み立てが完了する。
【００５１】
この組み立て方法においては、短手壁２１の面間距離が確保された状態にて外刃枠４１を挿入できるため、リブ４２と短手壁２１内面との接触を低減することができる。また、上記従来構成に比して、より小さい圧縮力にて保持部２４を外刃枠４１が挿入可能な位置まで外側に変位させることができる。これは、上記組み立て方法において図１１を参照して説明したように、低剛性部２３及び延設部２７等の構成に起因する。また、図１３の破線の矢印で示すように、上側の長手壁２２及び下側の長手壁２２に作用する両圧縮力が左右方向において一致しない場合であっても、図１２に示したようにせん断方向に変形することが抑制される。従って、本組み立て方法においても外刃カセット６の組み立て作業が容易となる。
【００５２】
以上、説明した実施形態によれば、以下の作用効果を奏することができる。
（１）保持枠２０には、その短手壁２１間に挟持される態様で外刃枠４１が保持される。従って、保持枠２０に外刃枠４１を装着するにあたって両短手壁２１間を離間させる必要がある。ここで、短手壁２１に低剛性部２３を設け、この低剛性部２３は保持部２４に比較して薄く形成されている。従って、低剛性部２３は保持部２４よりも剛性が低く湾曲し易い。よって、低剛性部２３は両長手壁２２の面間距離の減少量に対する両短手壁２１の面間距離の増加量を増大させることができる。これにより、外刃枠４１の保持枠２０への装着時に、両短手壁２１を外刃枠４１が挿入可能な位置まで容易に変位させることができる。従って、外刃枠４１の保持枠２０への装着作業、ひいては電気かみそりの組み立て作業をより容易とすることができる。
【００５３】
（２）低剛性部２３は、保持枠２０における上下方向の全域に亘って、保持部２４に対して薄く形成される。従って、外刃枠４１が保持枠２０に挿入されるとき、低剛性部２３が外側に屈曲することで、保持部２４同士の離間が促される。これにより、外刃枠４１の保持枠２０への装着作業、ひいては電気かみそりの組み立て作業をより容易とすることができる。
【００５４】
また、短手壁２１において湾曲する部分を低剛性部２３（正確にはその保持部２４側の端部）に集中させることができる。よって、低剛性部２３より剛性の高い保持部２４の曲がりを抑制することができる。これにより、リブ４２の進入方向に対してガイド孔２４ａが傾斜することが抑制され、よりスムーズにリブ４２をガイド孔２４ａに嵌め込むことができる。
【００５５】
（３）長手壁２２には自身に連結される両短手壁２１より外側に延びる延設部２７が形成されている。これにより、短手壁２１は、その両端面が延設部２７を含む長手壁２２により支持される。よって、短手壁２１（正確にはその低剛性部２３）の端部における長手壁２２に対する変位が制限される。これにより、短手壁２１は、全体が２次曲線状に曲がることなく、その低剛性部２３が集中的に外側に曲がる。従って、保持部２４の面間距離を増大させることができる。これにより、外刃枠４１の保持枠２０への装着作業、ひいては電気かみそりの組み立て作業をより容易とすることができる。
【００５６】
（４）外刃枠４１が保持枠２０に挿入されるとき、両短手壁２１が離間するに従って、両長手壁２２はそれらの中央部が互いに接近する態様で２次曲線状に曲がる。このとき、延設部２７は連結部２８を介して短手壁２１（正確にはその低剛性部２３）を外側に押しやる。従って、両低剛性部２３間の離間が促される。これにより、外刃枠４１の保持枠２０への装着作業、ひいては電気かみそりの組み立て作業をより容易とすることができる。
【００５７】
また、連結部２８を通じて短手壁２１はより長手壁２２に強く固定されるため、上記（３）と同様に低剛性部２３を集中的に外側に曲げることができる。以上により、保持部２４の面間距離を増大させることができ、外刃枠４１の保持枠２０への装着作業をより容易とすることができる。
【００５８】
（５）保持枠２０における外刃枠４１が挿入される側に連結部２８が形成される。よって、外刃枠４１の挿入時において、両短手壁２１は、保持枠２０における外刃枠４１が挿入される側に向かうにつれて面間距離が大きくなる。よって、外刃枠４１の挿入時に同外刃枠４１（特にリブ４２）が短手壁２１の端面に干渉することが抑制され、より外刃枠４１の保持枠２０への装着作業を容易とすることができる。
【００５９】
（６）リブ４２及びガイド孔２４ａが嵌合することで保持枠２０に外刃枠４１が上下動可能に保持される。このように簡易な構成にて保持枠２０に外刃枠４１を装着可能とすることができる。
【００６０】
（７）細桟２５により外刃枠４１が挿入される側と反対側の保持部２４の外側への変位が抑制される。そして、その分、外刃枠４１が挿入される側の保持部２４の面間距離を大きくすることができる。これにより、外刃枠４１の保持枠２０への装着作業をより容易とすることができる。
【００６１】
（８）上記低剛性部２３、延設部２７等の構成によって保持部２４がより外側に変位するため、短手壁２１の弾性力に基づきリブ４２に加わる圧力を低減することができる。よって、リブ４２の変形等を抑制することができる。さらに、リブ４２に加わる圧力を低減させる構成を採用する必要がない。よって、外刃枠４１をより簡易に構成することができる。
【００６２】
（９）外周枠５０は、外刃４０の表面を露出させた状態で、外刃カセット６の外周を覆っている。これにより、外周枠５０にて、低剛性部２３を設けた保持枠２０の短手壁２１も含めて外刃カセット６の周囲を保護できるので、同外刃カセット６の変形や破損をきたすことを防ぐことができ、かつ電気かみそりの意匠性を向上させることができる。
【００６３】
なお、上記実施形態は、これを適宜変更した以下の形態にて実施することができる。
・上記実施形態においては、保持枠２０に対して外刃枠４１を下側から挿入していた。しかし、保持枠２０に対して外刃枠４１を上側から挿入する構成であってもよい。本構成において、連結部２８は保持枠２０における外刃枠４１が挿入される側、すなわち上側に設けられる。また、細桟２５を両保持部２４の下端に設ける必要がある。本構成においても、上記実施形態と同様の作用効果が得られる。
【００６４】
・上記実施形態においては、連結部２８は保持枠２０における外刃枠４１が挿入される側に設けられていた。しかし、連結部２８は、保持枠２０における外刃枠４１の挿入方向（上下方向）の全域に亘って形成されていてもよい。本構成であっても、図１３を参照して説明したように、延設部２７の短手壁２１と反対側への反りに伴って、両保持部２４の面間距離の増大は促される。この場合、保持枠２０に対する外刃枠４１の挿入方向が上側及び下側の何れであっても、同様の効果が得られる。
【００６５】
・上記実施形態においては、外刃枠４１にリブ４２が設けられ、保持枠２０にガイド孔２４ａが設けられていた。そして、それらが嵌合することで保持枠２０に外刃枠４１が保持されていた。しかし、保持枠２０に外刃枠４１が保持される構成であれば、上記構成に限らない。例えば、外刃枠４１にガイド孔２４ａを設け、保持枠２０にリブ４２を設けてもよい。また、リブ４２及びガイド孔２４ａを省略して、保持枠２０の弾性力により外刃枠４１が保持されてもよい。
【００６６】
・上記実施形態においては、リブ４２は外刃枠４１の両側面に固定されていた。しかし、リブを弾性変形可能に構成してもよい。具体的には、図１４に示すように、外刃枠４１の両側面におけるリブ６０の外周には貫通孔６１が形成されている。この貫通孔６１の上縁部及びリブ６０の上端は板部６２により連結されている。リブ６０が内側に押圧されると、板部６２が弾性変形することでリブ６０の先端側は貫通孔６１に進入する。同図の例においては、外刃枠４１は保持枠２０に対して下側から挿入される。これにより、リブ６０の先端が保持枠２０の端面に当接することで、外刃枠４１のスムーズな挿入が妨げられることが抑制される。このように、リブ６０を弾性変形可能に構成することで、外刃枠４１の挿入時におけるリブ６０と短手壁２１との干渉を緩和することが可能となり、一段とスムーズな組立てを実現することができる。これは、外刃枠４１にガイド孔、保持枠２０にリブをそれぞれ設けた場合も同様である。
【００６７】
・上記実施形態においては、刃フレーム部５の本体部１０への装着は、外周枠５０が本体部１０に装着されることで行われていた。しかし、保持枠２０及び外刃枠４１の構成が同様であれば保持枠２０が本体部１０に装着する構成であってもよい。具体的には、保持枠２０及び本体部１０間において互いに嵌合する嵌合機構が設けられて、それら嵌合機構の嵌合を通じて保持枠２０が本体部１０に装着される。この場合、外刃カセット６及び外周枠５０間の嵌合機構（貫通孔２６ｃ及びフック５４）は省略可能である。
【００６８】
また、当該嵌合機構ではなく、外周枠５０及び本体部１０間の嵌合機構（第１及び第２の係止部１６，１７並びに凹部５５）を省略して構成してもよい。この場合、外周枠５０は本体部１０ではなく、同本体部１０に装着された保持枠２０に装着される。すなわち、外周枠５０は保持枠２０を介して本体部１０に固定される。
【００６９】
さらに、本体ヘッド部１３に外周枠５０が装着された状態において、外刃カセット６が外周枠５０の上部に装着可能とされる構成であってもよい。本構成においては、外周枠５０の上部及び外刃カセット６の下部に互いに嵌合する嵌合機構が設けられる。
【００７０】
また、上記のように保持枠２０が本体部１０に装着可能に構成されることで外周枠５０を省略して構成することもできる。
・上記実施形態においては、低剛性部２３は上下方向に亘って同一の薄さに形成されていた。しかし、保持枠２０における外刃枠４１が挿入される側（図１等の下側）のみを薄く形成してもよい。この構成においても、外刃枠４１の保持枠２０への挿入時において、少なくとも前記下側における短手壁２１（保持部２４）の面間距離を上記実施形態と同様に大きくすることができる。よって、組み立て作業が容易となる。
【００７１】
・上記実施形態における延設部２７を省略して構成してもよい。この場合であっても、外刃枠４１の保持枠２０への挿入時には、低剛性部２３により両保持部２４の面間距離を大きくできるため、外刃カセット６の組み立てが容易となる。
【００７２】
・また、連結部２８や細桟２５を省略して構成してもよい。すなわち延設部２７、連結部２８及び細桟２５を全て省略してもよいし、それらのうち必要に応じて組み合わせて構成してもよい。何れの構成であっても、上記同様に低剛性部２３により外刃カセット６の組み立てが容易となる。
【００７３】
・上記実施形態においては、前後方向に外刃４０が２つ配置されていたが、外刃４０、及びそれに応じた内刃３０の数はこれに限定されず、単数又は３つ以上であってもよい。また、外刃４０の外面の曲面の態様が上記実施形態と異なるものやスリット刃タイプ等の、仕様の異なる外刃４０であってもよい。
【００７４】
・上記実施形態においては、低剛性部２３はその厚さが薄く形成されることで剛性が低くされていた。しかし、低剛性部２３における剛性を低くすることができれば、低剛性部２３を保持部２４と同様の厚さとしてもよい。例えば、低剛性部２３の厚さを保持部２４と同等に形成しつつ、低剛性部２３及び保持部２４の材質を異ならせることで、低剛性部２３の剛性を保持部２４より小さくしてもよい。本構成においても上記図１１と同様の作用が得られる。
【符号の説明】
【００７５】
５…刃フレーム部、６…外刃カセット、１０…本体部、２０…保持枠、２４ａ…ガイド孔（第２の嵌合部）、２１…短手壁、２２…長手壁、２３…低剛性部、２４…保持部（中央部分）、２５…細桟、２７…延設部、２８…連結部、３０…内刃、４０…外刃、４１…外刃枠、４２…リブ（第１の嵌合部）、５０…外周枠。
【図１】
0005603198.tif 000002
【図２】
0005603198.tif 000003
【図３】
0005603198.tif 000004
【図４】
0005603198.tif 000005
【図５】
0005603198.tif 000006
【図６】
0005603198.tif 000007
【図７】
0005603198.tif 000008
【図８】
0005603198.tif 000009
【図９】
0005603198.tif 000010
【図１０】
0005603198.tif 000011
【図１１】
0005603198.tif 000012
【図１２】
0005603198.tif 000013
【図１３】
0005603198.tif 000014
【図１４】
0005603198.tif 000015
【図１５】
0005603198.tif 000016